(57)【要約】【課題】蛍光灯型半導体ランプについて、照明機器に装着したまま照射方向の変更が容易に行えることに加え、照射方向の固定力を調整できるようにする。【解決手段】口金部２，２間に介装された発光管部１が中心軸線周りに回動可能とされ所定の角度位置で係止して固定力を発揮するとともに、発光管部１に回動方向のトルクを与えることで係止が解除されるものとして、装着状態で照射方向の変更を可能とした蛍光灯型半導体ランプにおいて、その口金部２，２を、発光管部１に一端側を固定された固定側部材３とその他端側に枢着されて回動可能とされた可動側部材４からなり、回動時に固定側部材３と可動側部材４が摺接する対向面のうち一方に設けた凸部４５と他方に設けた凹部３００がバネ部材３４により係止位置で密着方向に押圧されることで固定力を発揮し、ギヤ３７を回動操作することでバネ部材３４の押圧力が変更され固定力が調整されるものとした。【選択図】図１
2014029824.tif 000002
【特許請求の範囲】
【請求項１】
端面からピン端子が突設された対の口金部の間に半導体による発光素子を内蔵した円柱状の発光管部が介装されており、蛍光灯用照明機器のソケット部に前記ピン端子を接続した状態で前記発光管部がその中心軸線周りに回動可能であるとともに所定ピッチの角度位置で係止されて固定力を発揮し、且つ前記発光管部と前記口金部の間で前記回動方向に所定のトルクを与えることで前記係止が解除されるものとして、装着状態で照射方向の変更操作を可能とした直管状の蛍光灯型半導体ランプにおいて、
前記口金部は、一端側を前記発光管部に固定された固定側部材と、前記端子ピンを有するとともに前記固定側部材の他端側に枢着されて前記発光管部の中心軸延長線周りに回動可能に設けられた可動側部材とからなり、前記回動時に前記固定側部材と前記可動側部材が摺接する対向面のうち一方の面に設けた凸部と他方の面に設けた凹部が、前記口金部に内装した押圧手段により前記係止位置で密着方向に押圧されることで前記固定力を発揮するものとされ、前記口金部に設けた固定力調整手段を操作することで前記押圧手段による押圧力が変更されて前記固定力が調整される、ことを特徴とする蛍光灯型半導体ランプ。
【請求項２】
前記押圧手段は、前記固定側部材と前記可動側部材を互いに密着方向に付勢するように配設された弾性部材であり、前記固定力調整手段は、前記弾性部材の装着状態における弾性変形量を変更することにより前記固定力の調整を行うものとされている、ことを特徴とする請求項１に記載した蛍光灯型半導体ランプ。
【請求項３】
前記弾性部材はバネ部材であり、前記固定力調整手段は、前記口金部の外周面から外周側を突出させて設けた円形ギヤ部品を外部から手動で回動させることにより、中央のネジ孔部分をボルト状の軸で螺合・挿通された状態で前記ギヤ部品にリンクしている他の円形ギヤ部品を、回動させながら前記軸上をスライド動作させて該他の円形ギヤ部品に一端側を接して挟装された前記バネ部材の弾性変形量を変動させる方式とされている、ことを特徴とする請求項２に記載した蛍光灯型半導体ランプ。
【請求項４】
前記凹部は、前記固定側部材又は前記可動側部材の摺接面となる前記発光管部の中心軸延長線に対し直角な端面の外周側で、前記中心軸延長線を中心とした同心円上を所定のピッチにて複数連設されている、ことを特徴とする請求項１，２または３に記載した蛍光灯型半導体ランプ。
【請求項５】
前記複数の凹部は、少なくとも１５°以下のピッチで連設されているとともに、少なくとも１５０°以上の範囲で前記照射方向の調整が可能な数とされている、ことを特徴とする請求項４に記載した蛍光灯型半導体ランプ。
【請求項６】
前記ピッチが１０°以下であって前記範囲が２００°以上とされている、ことを特徴とした請求項５に記載した蛍光灯型半導体ランプ。
【請求項７】
前記固定側部材と前記可動側部材の間の回動動作は、所定の位置に配設されたストッパにより所定角度の範囲内に規制されている、ことを特徴とする請求項１，２，３，４，５または６に記載した蛍光灯型半導体ランプ。
【請求項８】
前記固定側部材と該固定側部材に枢着された前記可動側部材を備え、前記発光管部になる発光管部品の両端側に取り付けられて前記口金部となり、請求項１，２，３，４，５，６または７に記載した蛍光灯型半導体ランプを構成する、ことを特徴とした口金部品。
【発明の詳細な説明】
【技術分野】
【０００１】
本発明は、半導体を発光素子として用いるランプを蛍光灯用の照明機器に装着して使用できるようにした蛍光灯型半導体ランプ及びその口金部品に関する。
【背景技術】
【０００２】
ＬＥＤや有機ＥＬ等の半導体による発光素子を内蔵した半導体ランプは、今までの主流である蛍光灯（蛍光管）と比べて消費電力が少なく耐久性にも優れていることから、電力消費量の削減が求められている近年において急速に普及しつつあるが、その一例として半導体ランプを直管状の蛍光灯型にして照明機器の蛍光灯と入れ替えて使用可能としたものが流通している。
【０００３】
しかし、斯かるＬＥＤ等の半導体による発光素子は照射光に指向性を有していることから、これを蛍光灯型の半導体ランプにして照明機器に装着した場合は、照明に対する角度位置に応じて明るさの偏りが生じやすいため、事務机・作業台等の明るさを必要とする位置で充分な明るさを確保しにくくなるケースもある。
【０００４】
そこで、両口金部品に対し中心軸線周り回動可能に取り付けられて照射方向を変更可能とした直管状の発光管を、所定ピッチの角度位置で係止して角度を固定する方式の蛍光灯型半導体ランプ（照明装置）が、特開２００９−４３４４７号公報や特開２０１１−７０９８５号公報に提案されている。
【０００５】
これらの半導体ランプは、対の口金部品とその間に挟まれた発光管が対向して接する摺接面の一方において、外周側の同心円上に複数の凹部が所定ピッチで連設され、他方にはその凹部に係合する形状・位置にて凸部が形成されて、これらが係合する角度位置で係止状態にして照射方向が固定されるものとして、これらを相対的に回動させるか互いに離れる方向に移動させることにより、係止を解除して照射方向を変更する方式を採用している。
【０００６】
しかしながら、発光管の角度位置に応じて照射方向を変更・設定する作業は、天井側の照明装置に蛍光灯型半導体ランプを実際に装着した状態にして照射状況を確認しながら行うのが通常であるところ、前記回動させて係止を解除する方式では、固定力が強すぎるとその作業自体が困難となりやすく、固定力が弱すぎると固定後に向きが変動しやすくなることから、その製造時において固定力の精密な設定が必要となる。
【０００７】
この場合、適度な固定力を精密に実現するには、各部品において高い成形精度の確保が必要となって製造コストの高騰を招きやすい。また、複数回の調整作業で凹部及び凸部に摩耗を生じて固定力が源弱してしまうこともある。さらに、発光管部と口金部を引き離して係合を解除させる方式では、照明装置に装着したままでは両口金部の距離を広げにくいため、係止を解除する操作自体が極めて困難となる。
【先行技術文献】
【特許文献】
【０００８】
【特許文献１】特開２００９−４３４４７号公報
【特許文献２】特開２０１１−７０９８５号公報
【発明の概要】
【発明が解決しようとする課題】
【０００９】
本発明は、上記のような問題を解決しようとするものであり、直管状の発光管部を中心軸線周りに回動させて照射方向を変更する蛍光灯型半導体ランプについて、照明機器に装着したまま照射方向の変更が容易に行えることに加え、照射方向の固定力を調整できるようにすることを課題とする。
【課題を解決するための手段】
【００１０】
そこで、本発明は、端面からピン端子が突設された対の口金部の間に半導体による発光素子を内蔵した円柱状の発光管部が介装されており、蛍光灯用照明機器のソケット部にピン端子を接続した状態で発光管部がその中心軸線周りに回動可能であるとともに所定ピッチの角度位置で係止されて固定力を発揮し、その発光管部と口金部の間で前記回動方向に所定のトルクを与えることで前記係止が解除されるものとして、装着状態で照射方向の変更操作を可能とした直管状の蛍光灯型半導体ランプにおいて、その口金部は、一端側を発光管部に固定された固定側部材と、ピン端子を有するとともに固定側部材の他端側に枢着されて発光管部の中心軸延長線周りに回動可能に設けられた可動側部材とからなり、回動時に固定側部材と可動側部材が摺接する対向面のうち一方の面に設けた凸部と他方の面に設けた凹部が、口金部に内装した押圧手段により係止位置で密着方向に押圧されることで前記固定力を発揮するものとされ、その口金部に設けた固定力調整手段を操作することで押圧手段による押圧力が変更されて前記固定力が調整される、ことを特徴とするものとした。
【００１１】
このように、発光管部が中心軸線周りに回動可能とされた蛍光灯型半導体ランプを、その口金部が固定側部材とこれに枢着された可動側部材からなるものとし、その両者の摺接面で凹部と凸部が係止位置にて押圧手段で押圧されて固定力を発揮するものとして、その押圧手段による押圧力を固定力調整手段で変更可能としたことにより、装着状態でも容易に照射方向を変更できることに加え、照射方向の固定力を容易に変更してこれを調整できるものとなる。
【００１２】
また、この蛍光灯型半導体ランプにおいて、その押圧手段は、固定側部材と可動側部材を互いに密着方向に付勢するように配設された弾性部材であり、その固定力調整手段は、弾性部材の装着状態における弾性変形量を変更することで固定力の調整を行うものとされている、ことを特徴としたものとすれば、簡易な構成にて照射方向の固定を可能としながらその固定力の調整を確実に行えるものとなるため、照射方向の調整作業が容易でありながら固定状態の変動しにくい安定的なものとなる。
【００１３】
さらにこの場合、その弾性部材はバネ部材であり、その固定力調整手段は、口金部の外周面から外周側を突出させて設けた円形ギヤ部品を外部から手動で回動させることにより、中央のネジ孔部分をボルト状の軸で螺合・挿通された状態で前記円形ギヤ部品にリンクしている他の円形ギヤ部品を、回動させながら前記軸上をスライド動作させてこれに一端側を接して挟装された前記バネ部材の弾性変形量を変動させる方式とされている、ことを特徴としたものとすれば、照明機器から取り外すことなく固定力の調整作業が容易に行えるものとなる。
【００１４】
さらにまた、上述した蛍光灯型半導体ランプにおいて、その凹部は、前記固定側部材又は可動側部材の摺接面となる前記発光管部の中心軸延長線に対し直角な端面の外周側で、前記中心軸延長線を中心とした同心円上を所定のピッチにて複数連設されていることを特徴としたものとすれば、その所定のピッチで照射方向を確実に調整可能なものとなる。
【００１５】
この場合、前記複数の凹部は、少なくとも１５°以下のピッチで連設されて少なくとも１５０°以上の範囲で照射方向の調整が可能な数とされている、ことを特徴としたものとすれば、照射方向の微細な調整作業が可能になることに加え広範囲の角度調整も可能なものとなり、前記ピッチが１０°以下であり前記範囲が２００°以上であるものとすれば、その一層微細かつ広範囲な調整が可能となる。
【００１６】
加えて、上述した蛍光灯型半導体ランプにおいて、前記固定側部材と可動側部材の間の回動動作は、所定の位置に配設されたストッパにより所定角度の範囲内に規制されている、ことを特徴としたものとすれば、過剰な回動動作による配線等の構成部品における損傷の発生を回避しやすいものとなる。
【００１７】
そして、前記固定側部材とこれに枢着された前記可動側部材を備え、前記発光管部になる発光管部品の両端側に取り付けられて前記口金部となり、上述した蛍光灯型半導体ランプを構成することを特徴とした口金部品とすれば、半導体を内蔵した通常の発光管部品と組み合わせるだけで、上述した機能を発揮する蛍光灯型半導体ランプが得られる。
【発明の効果】
【００１８】
固定側部材と可動側部材の摺接面で凹部と凸部が押圧手段で押圧されて固定力を発揮し、固定力調整手段で押圧手段による固定力を変更操作可能とした本発明によると、照明機器に装着したまま照射方向の変更が容易に行えることに加え、照射方向の固定力を容易に調整できるものとなる。
【図面の簡単な説明】
【００１９】
【図１】本実施の形態による蛍光灯型半導体ランプの口金部を中心とした部分縦断面図である。
【図２】（Ａ）は図１の口金部を構成している固定側部材の右側面図、（Ｂ）はその左側面図である。
【図３】図２（Ａ）のＸ−Ｘ線に沿う断面図である。
【図４】（Ａ）は図１の口金部を構成している可動側部材の左側面図、（Ｂ）はその右側面図、（Ｃ）は（Ａ）のＹ−Ｙ線に沿う断面図である。
【図５】（Ａ）は図１の蛍光灯型半導体ランプの口金部の部分縦断面図、（Ｂ）はその左側面図である。
【図６】（Ａ），（Ｂ）は図５（Ａ）の口金部における照射方向の固定力を調整する動作を説明するための部分縦断面図である。
【図７】本実施の形態による蛍光灯型半導体ランプを下向きにした場合の配光特性試験の結果を示すグラフである。
【図８】本実施の形態による蛍光灯型半導体ランプを下向きから１００°回動させた場合の配光特性試験の結果を示すグラフである。
【図９】図７、図８のグラフによる配光曲線を重ねて表示して本実施の形態における配光特性の変化状況を示す模式図である。
【発明を実施するための形態】
【００２０】
以下に、図面を参照しながら本発明を実施するための形態を説明する。尚、本発明において、発光管部両端側の口金部は、通常の蛍光灯のようにその外周面が金属製のものに限定されず、例えば樹脂製のものなど、他の素材によるものも含まれるものとする。
【００２１】
図１は、本実施の形態である蛍光灯型半導体ランプの特徴部分の構成を説明するために口金部２を中心として縦断した部分縦断面図を示している。この蛍光灯型半導体ランプは、端面からピン端子４３ａ，４３ｂを各々突設した対の口金部２，２の間に発光管部１が介装されたものとなっている。その発光管部１は、ＬＥＤ１００，１００，・・・が連設された基板１０を、半円柱状に形成した基体１１の平坦な配置面に固定するとともにこれを透明のカバー体１２で覆って直管状の部品を構成しており、その両端側に前述の口金部２になる口金部品を装着することで蛍光灯型のランプを構成するものである。
【００２２】
また、この蛍光灯型半導体ランプは、照明機器のソケット部にピン端子４３ａ，４３ｂを接続した状態で、発光管部１が一点鎖線で示す中心軸線周りに回動可能であるとともに、所定ピッチの角度位置にて係止状態となって所定の固定力を発揮し、その発光管部１を把持して前記回動方向に所定レベル以上のトルクを与えることで前記係止が解除されるようになっている。そのため、装着状態のまま照射方向の変更操作を行うことができ、指向性を有して偏りのあるＬＥＤ照射光が所望する方向に向くように、照射状態を確認しながら容易に調整できるものとしている。
【００２３】
そして、本実施の形態において、その口金部２，２は、一端側を発光管部１に固定した略円柱状の固定側部材３と、ピン端子４３ａ，４３ｂを有するとともに固定側部材３の他端側に枢着されて発光管部１の中心軸延長線周りに回動可能に設けた可動側部材４とからなり、回動時に固定側部材３と可動側部材４が摺接する対向面のうち一方の摺接面４８に設けた凸部４５と他方の摺接面３９に設けた凹部３００が、口金部２に内装した押圧手段としてのバネ部材３４により係止位置で密着方向に押圧されることで前記固定力を発揮するようになっている。さらに、そのバネ部材３４は、口金部２に設けた固定力調整手段を操作することで押圧力を変更可能とされて固定力の調整操作が可能とされており、この点が本発明の特徴部分となっている
【００２４】
即ち、本実施の形態においては、凹部３００と凸部４５が係合する係止位置でバネ部材３４の付勢力により互いに密着する方向に押圧されて固定力を発揮するものとされ、且つ、そのバネ部材３４の装着状態における弾性変形量を、後述する固定力調整手段で調整することで前記押圧力を所望するレベルに設定できるようになっており、照明機器に装着したまま容易に照射方向を変更できることに加え、その固定力を容易に変更可能として調整操作を行えるものとしている。そのため、天井側の高い位置で照明装置に装着した状態であっても、照射方向の調整作業が容易に行えるとともに、調整後における照射方向の固定状態が安定しやすいという特徴を有している。
【００２５】
図２（Ａ）は、図１の口金部２を構成している固定側部材３の右側面図を示しており、図２（Ｂ）はその左側面図を示している。図示しない可動側部材３の摺接面４８に対向して摺接する摺接面３９は、図示しない発光管部１の中心軸延長線に対し直角な端面として略円環状に形成されている。
【００２６】
また、この摺接面３９には、前記中心軸延長線を中心とした同心円上を所定ピッチで凹部３００が複数個連設されており、照射方向の精密な調整と広範囲の調整を可能としている。その凹部としては、開口部が円形で球面状に陥凹してなるものとして球面状に突出した前記凸部４５に係合する形状とすることが、曲面同士の接触により係合とその解除がスムースに行われる点で好ましい。また、その摺接面３９における凹部４５のピッチと配置数は、少なくとも１５°以下で合計１５０°以上の範囲で調整できるものが好ましく、図のように合計２００°の範囲で係止位置を１０°刻みで調整できるものであれば、より微細かつ広範囲な調整を可能とする観点で一層好ましいものとなる。
【００２７】
さらに、両端側の凹部３００，３００に近接した位置には、ストッパ３５ａ，３５ｂが円環状の摺接面３９を内周側に延出させるように各々突設されており、図１に示した可動側部材４の内面から突設した当接片４４が、回動動作の両端側でこれらに当接することにより、可動側部材４の回動動作が２００°の範囲内に規制されるようになっている。そのため、過剰な回動動作でピン端子４３ａ，４３ｂから延設された配線４９ａ，４９ｂ等の口金部２の構成部品が損傷することを回避できるようになっている。
【００２８】
図３の断面図を参照して、この固定側部材３は、円筒状のケーシング３０ａとこれよりも大径で発光管部１の端部側を挿入させるための袴３０ｂとで外周側部分が構成されており、ネジ孔３９ａ，３９ｂにネジ２００，２００を螺入する（図１参照）ことで、固定側部材３は発光管部１の端部側にしっかりと固定される。この固定側部材３の内部側には、可動側部材４内面中央から突設された軸４１を枢支するための軸孔３２が貫通してなる筒状の枢支体３１が、ケーシング３０ａ内周面から延設された複数本のリブで支持された状態で配設されている。
【００２９】
この枢支体３１の発光管部１側の面には、弾性金属板をドーナツ状に形成して湾曲させてなるバネ部材３４が外周側を密着するように配置され、その湾曲して突出した面側に密着するように円盤状のギヤ３６が配置されている。このギヤ３６は、外周面に歯が形成された円形歯車であり、中央を貫通している軸孔の内周面には、ナットにおけるものと同様のネジ山が形成されている。
【００３０】
また、図１に示したように、枢支体３１の軸孔３２とバネ部材３４の中央孔に軸４１を挿通しながら可動側部材４を固定側部材３に装着することで、軸４１先端側のボルト部４１ｂが軸孔３２を通過して突出し、これにギヤ３６のネジ孔３６ｂを挿通・螺着した状態にして止めネジ５０で固定されており、これにより可動側部材４が固定側部材３に対し回動可能に枢着されている。また、ギヤ３６は回動することで軸４１のボルト部４１ｂ上を発光管部１の中心軸延長線に沿ってスライド動作するようになっている。  
【００３１】
さらに、このギヤ３６は、これに係合している円盤状のギヤ３７とともに固定力調整手段の一部を構成している。このギヤ３７も円形歯車であるが、枢支体３１を支持しているリブの図中左側面から円錐台状に突設して中央をネジ孔３３が貫通したボスにより中央の軸孔部分が軸支されており、その上からネジ３８で螺着されて脱落しない状態にて、回動可能に装着されている。
【００３２】
そして、ギヤ３７の外周側の一部がケーシング３０ａ外周面から突出して露出しており、その突出部分を手動にて回動させることにより、これにリンク（歯合）している口金部２中心側に配置したギヤ３６を回動させながらボルト部４１ｂ上でスライド動作させる機構とされており、これと枢支体３１の間に挟装されたネジ部材３４の装着時における弾性変形量を変化させてその押圧力（弾性反発力）を変動させ、係止状態における照射方向の固定力を調整できるようにしている。
【００３３】
図４（Ａ）は、図１に示した可動側部材４の左側面図、（Ｂ）はその右側面図、（Ｃ）は（Ａ）のＹ−Ｙ線に沿う断面図を示している。この可動側部材４は、２本のピン端子４３ａ，４３ｂを外側面（端面）から突出して有した円盤状のキャップ体４０と、その内面からその中心軸線を発光管部１の中心軸延長線に一致するように延設した有底筒状の軸４１と、キャップ体４０の内側面でピン端子４３ａ，４３ｂが基端側を露出している部分に接続した配線４９ａ，４９ｂとを備えている。
【００３４】
また、上述したように、キャップ体４０内側面の外周寄りには当接片４４が突設され、軸４１には先端側にネジ山からなるボルト部４１ｂが形成されているとともに先端面にはネジ孔４１ａが開口している。さらに、キャップ体４０内側面における当接片４４の下方位置には、前述の凹部３００内に係合する外周円形で球面状に突出した凸部４５が設けられており、可動側部材４を固定側部材３に枢着した状態でこれらを相対的に回動させることにより、この凸部４５が前述の複数の凹部３００を配置した同心円上を移動するようになっている。
【００３５】
図５（Ａ）は、一点鎖線で輪郭のみ示す発光管部１に固定した固定側部材３に対し、可動側部材４を枢着してなる口金部２を縦断面図で示したものであり、この状態において、可動側部材４は固定側部材３に対し回動可能な範囲における中間位置で係止・固定されている。図５（Ｂ）はその左側面図であるが、可動側部材４内側面から突出した当接片４４は、ストッパ３５ａ，３５ｂで回動動作が規制される範囲の中間位置にあり、この位置から図中時計回りに１００°、反時計回りに１００°の範囲で回動可能とされて、合計２００°の範囲で変更しながら照射方向を調整できるようになっている。
【００３６】
尚、可動側部材４から延設された配線４９ａ，４９ｂは先端側で１本に纏まってハーネスを構成しながら、固定側部材３のリブの間を通って発光管部１側に延びており、図１に示したように、基板１０側に接続した状態でもその長さに余裕を有していることから、２００°の範囲で回動させた場合であっても、それが断裂する心配のないものとしている。
【００３７】
図６は、本実施の形態の蛍光灯型半導体ランプにおける照射方向の固定力調整手段の操作と動作状況を説明するための部分縦断面図であるが、図５と同様に発光管部１は輪郭のみを一点鎖線で示している。例えば、バネ部材３４による押圧力が想定したよりも弱く固定力を増強したい場合は、固定力調整手段を手動で操作して、ギヤ３６をバネ部材３４の圧縮方向にスライド動作させる。
【００３８】
この場合、固定側部材３の外周面から外周側部分を突出して露出しているギヤ３７を、ドライバー４００のような器具や指の爪を用いて所定の方向に回動させることにより、図６（Ｂ）に示すようにギヤ３７に歯合している中心側のギヤ３６が回動しながらボルト部４１ｂ上をスライド動作し、バネ部材３４を圧縮してその弾性変形量を増大させ、可動側部材４を固定側部材３に押圧する付勢力が増強される。
【００３９】
これにより、凹部３００に対する凸部４５の押圧力・係合力も増大して、係止状態における固定力が増強される結果となる。一方、この固定力を源弱させたい場合には、ギヤ３７を前述とは逆方向に回動させれば良い。このようにして、本実施の形態において簡単な操作で照射方向の固定力を容易に変更して調整することを可能としたものである。尚、そのギヤ３７の露出位置は、図のように照明機器に装着した状態で外部から操作しやすい表側の位置とすること、及びその回動方向に応じた増強操作と源弱操作の向きが容易に分かるように＋−等の表示を露出部に近接して表示しておくことが好ましい。
【００４０】
したがって、蛍光灯型半導体ランプにおいて、その照射方向の固定力に関係する各部品の成形精度が充分に高くない場合であっても、組立後にその調整が容易に行えるものとなり、また、照射方向の調整作業を重ねたことで凹部３００及び凸部４５に摩耗が生じたり、或いは経年変化によりバネ部材による弾性反発力が低下したりして、固定力が変動したような場合であっても、ユーザサイドにおける簡易な操作のみで適度な状態に調整することができる。
【００４１】
尚、上述した実施の形態では、発光素子として用いる半導体がＬＥＤである場合を説明したが、本発明はこれに限定されるものではなく、照射方向に指向性のある半導体による発光素子であれば、有機ＥＬ等の他の種類のものであっても同様である。また、本発明の蛍光灯型半導体ランプは、その口金部に特徴を有していることから、口金部を発光管部とは別体の口金部品として提供してもよく、これを通常の蛍光灯型半導体ランプ用の発光管部品に取り付けるだけで上述した蛍光灯型半導体ランプが得られ、上述した効果を発揮するものとなる。
【実施例１】
【００４２】
図１に示した蛍光灯型半導体ランプを実際に作成し、その照射方向の変動に応じた配光特性の変化状況について試験を実施して検証した。
【００４３】
（試験内容）４０Ｗ直管型蛍光灯に対応した規格の本実施の形態による蛍光灯型ＬＥＤランプ２本をトラフ型（箱型）照明機器の取り付け面に並べた状態で取り付け、真下に向いた状態とそれから中心軸線周り仰角方向に１００°（互いに反対方向）回動させた状態において各々配光特性を測定した。
（試験装置）機器名：大型配光測定システムＧＯ−ＤＳ１６００、ドイツＬＭＴ社製
【００４４】
（結果）図７は真下に向いた状態における配光曲線（ランプ中心軸線に直角な面上の配光状況：片方のみ）を示し、図８は図７の状態から互いに逆回りで１００°仰角方向に回動させた状態の配光曲線を示している。図９は前記２つの配光曲線（左右両方）を重ねて照明機器の図に組み合わせた模式図を示しているが、実線で示す下向きの照射状態から（通常使用）、波線で示す水平方向を超えて１００°まで回動させた状態にした場合でも、左右方向に良好な照射状態を確保していた。
【００４５】
このように、本実施の形態による蛍光灯型半導体ランプは、下向きの状態から時計回りとその逆回りに各々１００°の範囲で回動させながら照射方向を調整ですることができるが、各々１００°回動させた状態でも良好な照射状態を確保することができる。また、角度調整後の状態が固定されることに加え、その固定力の調整も可能とされているため、所望した角度で良好な配光状態を安定的に維持することができ、様々な目的に応じた照明デザインを実現可能なものとなる。
【００４６】
例えば、既存の蛍光灯用照明機器には、照射方向を互いに斜め下向きにした逆富士山型照明器具や、口金接続部が互いに逆向きの水平方向に延びたタイプのものがあり、また口金の接続穴の向きが軸線回りに９０°ずれているものもあるが、これらに照射方向が固定された蛍光灯型ＬＥＤランプを使用した場合、指向性のあるＬＥＤの特性により下方向に殆ど照射できない状況も生じ得る。そこで、本実施の形態による蛍光灯型半導体ランプを使用することで、その大きな調整角度で容易に対応することができ、且つ、その固定力を適度な状態に容易に調整しながら照射方向の変動を防止することができる。
【００４７】
以上、述べたように、直管状の発光管部をその中心軸線周りに回動させて照射方向を変更する蛍光灯型半導体ランプについて、本発明により、照明機器に装着したままで照射方向の変更が容易に行えることに加え、照射方向の固定力を容易に調整できるようになった。
【符号の説明】
【００４８】
１  発光管部、２  口金部、３  固定側部材、４  可動側部材、３１  枢支体、３４  バネ部材、３５ａ，３５ｂ  ストッパ、３６，３７  ギヤ、３６ｂ  ネジ孔、３９，４８  摺接面、４１  軸、４１ｂ  ボルト部、４３ａ，４３ｂ  ピン端子、４４  当接片、４５  凸部、１００  ＬＥＤ  ３００  凹部
【図１】
2014029824.tif 000003
【図２】
2014029824.tif 000004
【図３】
2014029824.tif 000005
【図４】
2014029824.tif 000006
【図５】
2014029824.tif 000007
【図６】
2014029824.tif 000008
【図７】
2014029824.tif 000009
【図８】
2014029824.tif 000010
【図９】
2014029824.tif 000011